(57)【要約】【課題】適合性が高く、第三者への説明がし易い外国政府等信用格付システム及び信用格付方法並びにコンピュータ・ソフトウエアを提供する。【解決手段】格付対象国の成長性、安定性又は対外債務状況に関する数値を入力変数とする得点算出式を用いて経済得点を算出する機能を有する格付用コンピュータを備え、外国政府等の信用格付データを作成するシステムであって、格付対象国は複数の国タイプのいずれかに分類され、また、得点算出式は複数種類有り、そして、格付対象国の国タイプごとに相違する１又は２種類以上の得点算出式が使用され、かつ、各得点算出式は複数の国タイプにおける経済得点算出に使用される。【選択図】        図２
2004164461.tif 000002
【特許請求の範囲】
【請求項１】
格付対象国の成長性、安定性又は対外債務状況に関する数値を入力変数とする得点算出式を用いて経済得点を算出する機能を有する格付用コンピュータを備え、外国政府等の信用格付データを作成するシステムであって、前記格付対象国は複数の国タイプのいずれかに分類され、また、得点算出式は複数種類有り、そして、格付対象国の国タイプごとに相違する１又は２種類以上の得点算出式が使用され、かつ、各得点算出式は複数の国タイプにおける経済得点算出に使用されることを特徴とする外国政府等信用格付システム。
【請求項２】
請求項１記載の外国政府等信用格付システムにおいて、
上記得点算出式は、返済繰延の可能性を計算する方程式と債務削減の可能性を計算する方程式とからなることを特徴とする外国政府等信用格付システム。
【請求項３】
請求項１又は２に記載の外国政府等信用格付システムにおいて、
上記得点算出式は、成長性、安定性又は対外債務状況に関する数値にそれぞれウエイトを掛けて算出する式であることを特徴とする外国政府等信用格付システム。
【請求項４】
請求項３記載の外国政府等信用格付システムにおいて、
上記得点算出式は、算出対象の国の成長性、安定性又は対外債務状況に関する数値をそれぞれ標準化して算出する式であることを特徴とする外国政府等信用格付システム。
【請求項５】
請求項１〜４のいずれか１項に記載の外国政府等信用格付システムにおいて、
上記信用格付データは、算出した経済得点と政治得点とを合算して作成されることを特徴とする外国政府等信用格付システム。
【請求項６】
請求項５記載の外国政府等信用格付システムにおいて、
上記格付用コンピュータは、格付対象国の成長性、安定性又は対外債務状況に関する数値、国タイプデータ及び政治得点の数値を入力する入力部と、入力された国タイプデータを基に使用する得点算出式を選択して総合得点及び信用格付データを算出する得点算出部と、算出した信用格付データを出力する出力部とを備えることを特徴とする外国政府等信用格付システム。
【請求項７】
請求項１〜６のいずれか１項に記載の外国政府等信用格付システムにおいて、
２種類以上の得点算出式を使用する格付対象国については、各得点算出式の算出結果を平均して経済得点とすることを特徴とする外国政府等信用格付システム。
【請求項８】
外国政府等の信用格付を行う信用格付方法であって、
請求項１〜７のいずれか１項に記載の外国政府等信用格付システムを使用して作成した信用格付データを用いることを特徴とする信用格付方法。
【請求項９】
請求項８記載の信用格付方法において、
上記信用格付データを考慮し、定性要因による調整・補完を行うことを特徴とする信用格付方法。
【請求項１０】
外国政府等の信用格付データを作成するシステムを構成する格付用コンピュータに使用されるコンピュータ・ソフトウエアであって、
格付対象国の成長性、安定性又は対外債務状況に関する数値を入力変数とし、前記格付対象国は複数の国タイプのいずれかに分類され、また、得点算出式は複数種類有り、そして、格付対象国の国タイプごとに相違する１又は２種類以上使用され、かつ、複数の国タイプにおける経済得点算出に使用される得点算出式を用いて経済得点を算出する機能をコンピュータに実現させるプログラムからなるコンピュータ・ソフトウエア。
【発明の詳細な説明】
【０００１】
【発明の属する技術分野】
本発明は、外国政府等信用格付システム及び信用格付方法並びにコンピュータ・ソフトウエアであり、特に格付対象国の経済得点を算出して、外国政府等の信用格付データを作成するシステム及び信用格付方法に関する。
【０００２】
【従来の技術】
各種経済指標等を使用して定量的に外国政府等の債務履行能力の格付を行うシステムは、従来から存在していたが、近年における公的債務削減の動きを踏まえたかたちで適合性の高い結果を提供することが難しくなっていた。
【０００３】
【発明が解決しようとする課題】
本発明は、従来の外国政府等信用格付システムに比して、格付の適合性を改善し、第三者への説明がし易い外国政府等信用格付システム及び信用格付方法並びにコンピュータ・ソフトウエアを提供することを目的とする。
【０００４】
【課題を解決するための手段】
本発明は、格付対象国の成長性、安定性又は対外債務状況に関する数値を入力変数とする得点算出式を用いて経済得点を算出する機能を有する格付用コンピュータを備え、外国政府等の信用格付データを作成するシステムであって、前記格付対象国は複数の国タイプのいずれかに分類され、また、得点算出式は複数種類有り、そして、格付対象国の国タイプごとに相違する１又は２種類以上の得点算出式が使用され、かつ、各得点算出式は複数の国タイプにおける経済得点算出に使用される外国政府等信用格付システムである。
【０００５】
また、本発明は、上記得点算出式は、返済繰延の可能性を計算する方程式と債務削減の可能性を計算する方程式とからなる外国政府等信用格付システムである。
【０００６】
そして、本発明は、上記得点算出式は、成長性、安定性又は対外債務状況に関する数値にそれぞれウエイトを掛けて算出する式である外国政府等信用格付システムである。
【０００７】
更に、本発明は、上記得点算出式は、算出対象の国の成長性、安定性又は対外債務状況に関する数値をそれぞれ標準化して算出する式である外国政府等信用格付システムである。
【０００８】
また、本発明は、上記信用格付データは、算出した経済得点と政治得点とを合算して作成される外国政府等信用格付システムである。
【０００９】
そして、本発明は、上記格付用コンピュータは、格付対象国の成長性、安定性又は対外債務状況に関する数値、国タイプデータ及び政治得点の数値を入力する入力部と、入力された国タイプデータを基に使用する得点算出式を選択して総合得点及び信用格付データを算出する得点算出部と、算出した信用格付データを出力する出力部とを備える外国政府等信用格付システムである。
【００１０】
更に、本発明は、２種類以上の得点算出式を使用する格付対象国については、各得点算出式の算出結果を平均して経済得点とす外国政府等信用格付システムである。
【００１１】
また、本発明は、外国政府等の信用格付を行う信用格付方法であって、上記の外国政府等信用格付システムを使用して作成した信用格付データを用いる信用格付方法である。
【００１２】
そして、本発明は、上記信用格付データを考慮し、定性要因による調整・補完を行う信用格付方法である。
【００１３】
更に、本発明は、外国政府等の信用格付データを作成するシステムを構成する格付用コンピュータに使用されるコンピュータ・ソフトウエアであって、格付対象国の成長性、安定性又は対外債務状況に関する数値を入力変数とし、前記格付対象国は複数の国タイプのいずれかに分類され、また、得点算出式は複数種類有り、そして、格付対象国の国タイプごとに相違する１又は２種類以上使用され、かつ、複数の国タイプにおける経済得点算出に使用される得点算出式を用いて経済得点を算出する機能をコンピュータに実現させるプログラムからなるコンピュータ・ソフトウエアである。
【００１４】
【発明の実施の形態】
発明の実施の形態を説明する。
本発明の外国政府等信用格付システム及び信用格付方法の実施例について、図１〜図４を用いて説明する。図１は、実施例の外国政府等信用格付システムにおける標準化の一例の説明図である。図２は、実施例の外国政府等信用格付システムにおける国タイプ一例の説明図である。図３は、実施例の外国政府等信用格付システムで使用する変数及びウエイトの一例の説明図である。
【００１５】
実施例を説明する。本実施例の外国政府等信用格付システムは、格付コンピュータを備えており、複数の国タイプに分類される格付対象国の経済得点を算出して、外国政府等の信用格付データを作成することができる。格付コンピュータは、格付対象国の成長性、安定性又は対外債務状況に関する数値を入力変数とする得点算出式を用いて経済得点を算出する機能を有しており、格付対象国の成長性、安定性又は対外債務状況に関する数値、国タイプデータ及び政治得点の数値を入力する入力部と、入力された国タイプデータを基に使用する得点算出式を選択して総合得点及び信用格付データを算出する得点算出部と、算出した信用格付データを出力する出力部とを備えている。得点算出式は複数種類用いる。得点算出式は、リスケ（返済繰延）の可能性又は債務削減の可能性を計算するものであり、国タイプ別にそれぞれ相違する１又は２種類以上が使用される。各得点算出式は複数の国タイプにおける経済得点算出に使用される。
【００１６】
本実施例の外国政府等信用格付システムにおける入力変数は、格付対象国の成長性、安定性又は対外債務状況に関する数値であり、その一例を以下説明する。
（ａ）成長性については、「実質ＧＤＰ成長率」及び「一人当たり国民所得」の２つである。（ｂ）安定性については、「物価上昇率」、「経常収支の対ＧＤＰ比」及び「経済規模・体外依存度の組合せ指標」の３つである。（ｃ）対外債務状況については、「デットサービス・レシオ（ＤＳＲ）」、「対外債務残高の対ＧＤＰ比」、「短期対外債務残高の対輸出比」、「中長期対外債務残高に占める国際機関向債務の割合」、「中長期対外債務残高に占める公的債権者向債務の割合」、「公的対外債務の延滞率」及び「外貨準備の輸入月数」の７つである。これらの数値は、過去３年間の平均値（一部の数値を除く）を使用し、標準化されて使用される。「実質ＧＤＰ成長率」についての標準化の一例を図１に示す。他の数値も、同様に０点〜１０点に標準化される。なお、「経済規模・体外依存度の組合せ指標」は、「経済規模」と「体外依存度」とを組合せて標準化される。
そして、標準化された数値は、得点算出式毎に異なるウエイトを掛けて使用される。ウエイトについては、後述する。
【００１７】
本実施例の外国政府等信用格付システムにおける「国タイプ」は、図２に示すように、「国タイプＩ」〜「国タイプＩＶ」の４グループに分類されており、「先進国」と「公的リスケ及び公的債務削減とも非実施」、「公的リスケ実施」及び「公的債務削減実施」である。
【００１８】
本実施例の外国政府等信用格付システムにおける「得点算出式」について、説明する。得点算出式は、４種類使用される。式１は、図３に示すように、成長性、安定性又は対外債務状況に関する数値の１２の入力変数のすべてについて、ウエイトをａ１〜ａ１２として算出する。ウエイトａ１〜ａ１２は０又は正数で、その合計は１００である。同様に、式２はウエイトｂ１〜ｂ１２とし、式３はウエイトｃ１〜ｃ１２とし、式４はウエイトｄ１〜ｄ１２である。式１と２は、リスケの可能性を計算する。式３と４は、債務削減の可能性を計算する。
【００１９】
本実施例の外国政府等信用格付システムにおいては、国タイプ毎に算出に使用する得点算出式が相違する。国タイプＩでは、式１のみを使用して算出する。国タイプＩＩでは、式１、２、４の３種類を使用し、得られた算出結果を平均する。
国タイプＩＩＩでは、式１〜４の４種類すべてを使用し、得られた算出結果を平均する。国タイプＩＶでは、式３、４の２種類を使用し、得られた算出結果を平均する。なお、平均する方法として、相和平均、相乗平均、算出結果の数値を自乗して平均した後平方根とする等を採用することができる。
【００２０】
本実施例の外国政府等信用格付システムにより算出した経済得点は、政治得点と合算され信用格付データとされる。政治得点は、外部データベース等による政治リスク評価を得点したものであり、経済得点と政治得点の加重平均により総合得点が求められる。そして、外国政府等の信用格付を行う際、作成された信用格付データは、定性要因等による調整・補完が行われる。これにより、システムで評価されなかった事項を考慮して調整・補完を行うものであり、最終格付を得ることができる。
【００２１】
本実施例の外国政府等信用格付システムにより、第三者への説明がし易く、また、格付対象国の成長性、安定性又は対外債務状況に関する数値を入力変数とする４種類の得点算出式を使用しているため、この４種類の得点算出式を変更することで、世界の政治や経済の変化等に対応したシステムとすることができ、システム修正時の負担等を軽減することが可能である。
【００２２】
なお、上記実施例では、外国政府等の信用格付システムを説明したが、格付対象国の成長性、安定性又は対外債務状況に関する数値を入力変数とし、前記格付対象国は複数の国タイプのいずれかに分類され、また、得点算出式は複数種類有り、そして、格付対象国の国タイプごとに相違する１又は２種類以上使用され、かつ、複数の国タイプにおける経済得点算出に使用される得点算出式を用いて経済得点を算出する機能をコンピュータに実現させるプログラムからなるコンピュータ・ソフトウエア又はこのプログラムを格納したコンピュータ読取可能な記録媒体（例えば、ＣＤ−ＲＯＭ）を使用することにより、コンピュータを本システムの格付用コンピュータとすることが可能である。
【００２３】
【発明の効果】
本発明により、第三者への説明がし易い外国政府等信用格付システム及び信用格付方法並びにコンピュータ・ソフトウエアを得ることができる。
【図面の簡単な説明】
【図１】実施例の外国政府等信用格付システムにおける標準化の一例の説明図。
【図２】実施例の外国政府等信用格付システムにおける国タイプ一例の説明図。
【図３】実施例の外国政府等信用格付システムで使用する変数及びウエイトの一例の説明図。
【図１】
2004164461.tif 000003
【図２】
2004164461.tif 000004
【図３】
2004164461.tif 000005
【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
格付用コンピュータを備え、外国政府等の信用格付データを作成するシステムであって、
前記格付用コンピュータは、複数の国タイプのいずれかに分類される格付対象国の成長性、安定性又は対外債務状況に関する数値、国タイプデータ及び政治得点の数値を入力する入力部と、該入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出する得点算出部と、該得点算出部が算出した信用格付データを出力する出力部とを備えることを特徴とする外国政府等信用格付システム。
【請求項２】
請求項１記載の外国政府等信用格付システムにおいて、
上記得点算出式は、返済繰延の可能性を計算する方程式と債務削減の可能性を計算する方程式とからなることを特徴とする外国政府等信用格付システム。
【請求項３】
請求項１又は２に記載の外国政府等信用格付システムにおいて、
上記得点算出式は、成長性、安定性又は対外債務状況に関する数値にそれぞれウエイトを掛けて算出する式であることを特徴とする外国政府等信用格付システム。
【請求項４】
請求項３記載の外国政府等信用格付システムにおいて、
上記得点算出式は、算出対象の国の成長性、安定性又は対外債務状況に関する数値をそれぞれ標準化して算出する式であることを特徴とする外国政府等信用格付システム。
【請求項５】
請求項１〜４のいずれか１項に記載の外国政府等信用格付システムにおいて、
２種類以上の得点算出式を使用する格付対象国については、各得点算出式の算出結果を平均して経済得点とすることを特徴とする外国政府等信用格付システム。
【請求項６】
外国政府等の信用格付を行う信用格付方法であって、
複数の国タイプのいずれかに分類される格付対象国の成長性、安定性又は対外債務状況に関する数値、国タイプデータ及び政治得点の数値を格付用コンピュータの入力部に入力し、
前記格付コンピュータは、得点算出部が、入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出し、出力部が、得点算出部が算出した信用格付データを出力し、
出力された信用格付データを用いて信用格付を行うことを特徴とする信用格付方法。
【請求項７】
請求項６記載の信用格付方法において、
上記信用格付データを考慮し、定性要因による調整・補完を行うことを特徴とする信用格付方法。
【請求項８】
外国政府等の信用格付データを作成するシステムを構成する格付用コンピュータに使用されるコンピュータ・ソフトウエアであって、
前記格付用コンピュータを、複数の国タイプのいずれかに分類される格付対象国の成長性、安定性又は対外債務状況に関する数値、国タイプデータ及び政治得点の数値を入力する入力部と、該入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出する得点算出部と、該得点算出部が算出した信用格付データを出力する出力部として機能させるためのプログラムからなるコンピュータ・ソフトウエア。
【手続補正２】
【補正対象書類名】明細書
【補正対象項目名】０００４
【補正方法】変更
【補正の内容】
【０００４】
【課題を解決するための手段】
本発明は、格付用コンピュータを備え、外国政府等の信用格付データを作成するシステムであって、前記格付用コンピュータは、複数の国タイプのいずれかに分類される格付対象国の成長性、安定性又は対外債務状況に関する数値、国タイプデータ及び政治得点の数値を入力する入力部と、該入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出する得点算出部と、該得点算出部が算出した信用格付データを出力する出力部とを備えることを特徴とする外国政府等信用格付システムである。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
更に、本発明は、２種類以上の得点算出式を使用する格付対象国については、各得点算出式の算出結果を平均して経済得点とする外国政府等信用格付システムである。


【手続補正６】
【補正対象書類名】明細書
【補正対象項目名】００１１
【補正方法】変更
【補正の内容】
【００１１】
また、本発明は、外国政府等の信用格付を行う信用格付方法であって、複数の国タイプのいずれかに分類される格付対象国の成長性、安定性又は対外債務状況に関する数値、国タイプデータ及び政治得点の数値を格付用コンピュータの入力部に入力し、前記格付コンピュータは、得点算出部が、入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出し、出力部が、得点算出部が算出した信用格付データを出力し、出力された信用格付データを用いて信用格付を行う信用格付方法である。


【手続補正７】
【補正対象書類名】明細書
【補正対象項目名】００１３
【補正方法】変更
【補正の内容】
【００１３】
更に、本発明は、外国政府等の信用格付データを作成するシステムを構成する格付用コンピュータに使用されるコンピュータ・ソフトウエアであって、前記格付用コンピュータを、複数の国タイプのいずれかに分類される格付対象国の成長性、安定性又は対外債務状況に関する数値、国タイプデータ及び政治得点の数値を入力する入力部と、該入力部に入力された国タイプデータを基に、格付対象国の国タイプごとに相違して選択され、かつ、複数の国タイプにおける経済得点算出にそれぞれ使用される、複数種類の得点算出式から１又は２種類以上の得点算出式を選択し、選択した得点算出式と前記入力部に入力された格付対象国の成長性、安定性又は対外債務状況に関する数値を用いて経済得点を算出し、算出した経済得点と前記入力部に入力された政治得点とを合算して総合得点及び信用格付データを算出する得点算出部と、該得点算出部が算出した信用格付データを出力する出力部として機能させるためのプログラムからなるコンピュータ・ソフトウエアである。